(57)【特許請求の範囲】
【請求項１】
壁面に衣類をはじめとする物品を掛けて収納するための壁収納体であって、
互いに間隔を存して垂直方向に伸びる柱状の一対の支持体と、
前記一対の支持体の間に水平となるように支持された複数の棒体と、
前記支持体に形成された複数の貫通孔と、
前記貫通孔に嵌合する棒状の突出部材と
を備え、
前記貫通孔は、前記棒体と平行になるように前記支持体に形成され、
前記突出部材は、該突出部材の一端側を一方の壁収納体の複数の貫通孔の中から選択された貫通孔に嵌合させると共に、他端側を他方の壁収納体の複数の貫通孔の中から選択された貫通孔に嵌合させることにより、同一または大きさの異なる２つの壁収納体を平面状に連結可能であると共に角度を変えて連結可能であることを特徴とする壁収納体。
【発明の詳細な説明】
【技術分野】
【０００１】
本発明は、壁面に衣類をはじめとする物品を掛けて収納するための壁収納体に関する。
【背景技術】
【０００２】
従来、この種の壁収納体としては、下記特許文献１に示すように、壁面に立て掛け可能な枠体と、該枠体の上部位置および中央位置の２箇所に横設した掛け棒体とを備える壁収納体が知られている。かかる壁収納体によれば、ハンガーに掛けた衣類を上部位置および中央位置の掛け棒体に掛けることが可能となる。
【先行技術文献】
【特許文献】
【０００３】
【特許文献１】意匠登録第１３４４９３３号公報
【発明の開示】
【発明が解決しようとする課題】
【０００４】
ここで、例えば、一人暮らしの単身者が生活する所謂ワンルーム住居では、衣類をはじめとする生活に必要な様々な物品を収納するための収納スペースが不足しがちである。
【０００５】
かかる従前の壁収納体を用いることで、壁面を利用して主としてハンガーに掛けた衣類を収納可能となるものの、衣類以外の生活に必要な様々な物品についても収納したいとの要望がある。
【０００６】
しかしながら、かかる従前の壁収納体に衣類以外にも生活に必要な様々な物品（例えば、鞄・ハンドバック、ネクタイ・スカーフ、帽子、ドライヤー、延長コード等）を掛け棒体に掛けて収納することも考えられるが、衣類以外のこれらの部品を掛け棒体で収納した場合には衣類を十分に収納することができないという問題がある。
【０００７】
以上の事情に鑑みて、本発明は、衣類をはじめとする生活に必要な複数の物品を同時に収納することができる壁収納体を提供することを目的とする。
【課題を解決するための手段】
【０００８】
本発明の壁収納体は、壁面に衣類をはじめとする物品を掛けて収納するための壁収納体であって、
互いに間隔を存して垂直方向に伸びる柱状の一対の支持体と、
前記一対の支持体の間に水平となるように支持された複数の棒体と、
前記支持体に形成された複数の貫通孔と、
前記貫通孔に嵌合する棒状の突出部材と
を備え、
前記貫通孔は、前記棒体と平行になるように前記支持体に形成され、
前記突出部材は、該突出部材の一端側を一方の壁収納体の複数の貫通孔の中から選択された貫通孔に嵌合させると共に、他端側を他方の壁収納体の複数の貫通孔の中から選択された貫通孔に嵌合させることにより、同一または大きさの異なる２つの壁収納体を平面状に連結可能であると共に角度を変えて連結可能であることを特徴とする。
【０００９】
本発明の壁収納体によれば、一対の支持体の間に水平となるように支持された複数の棒体に衣類を掛けて収納することができるばかりでなく、支持体に形成された複数の貫通孔を用いて衣類以外の生活に必要な様々な物品についても収納することができる。
例えば、貫通孔に収納する物品の一部分（例えば、イヤホンのケーブル）を通してこれを掛け、または、縛るなどして収納することができると共に、貫通孔にＳ字フック等を連結させることで、これに衣類以外の生活に必要な物品を係合させて収納することができる。
【００１０】
例えば、貫通孔に収納する物品の一部分（例えば、イヤホンのケーブル）を通してこれを掛け、または、縛るなどして収納することができると共に、貫通孔にＳ字フック等を連結させることで、これに衣類以外の生活に必要な物品を係合させて収納することができる。
【００１１】
このように本発明の壁収納体によれば、衣類をはじめとする生活に必要な複数の物品を同時に収納することができる。
また、本発明の壁収納体によれば、貫通孔に突出部材を嵌合させることで、貫通孔から突出した突出部を形成し、これをフックとして、衣類以外の生活に必要な様々な物品を掛けて収納することができる。加えて、長さの異なる突出部材を貫通孔に嵌合させることで、フックとしての収納量を可変させることができる。
また、本発明の壁収納体によれば、突出部材を２つの壁収納体の各々の貫通孔に嵌合させることで、この２つの壁収納体を連結して用いることができる。これにより、単体の壁収納体を壁面に傾設して用いる場合よりも安定性を向上させることができると共に、突出部材もその両端が支持体により支持されるため、その耐荷重を向上させることができる。
さらに、隣接する壁収納体同士を突出部材を介して互い連結して、壁面全体を複数の壁収納体により覆うことができ、衣類をはじめとする生活に必要な複数の物品を同時かつ大量に収納することができる。
【図面の簡単な説明】
【００１７】
【図１】本実施形態の壁収納体の使用状態を示す斜視図。
【図２】壁収納体が壁面に斜設された状態を示す説明図。
【図３】本実施形態の壁収納体を複数連結した使用状態を示す斜視図。
【図４】本実施形態の壁収納体の変更例を示す斜視図。
【図５】本実施形態の壁収納体の他の変更例を示す斜視図。
【発明を実施するための形態】
【００１８】
図１に示すように、本実施形態の壁収納体は、壁面に衣類をはじめとする物品を掛けて収納するための壁収納体であって、互いに間隔を存して垂直方向に伸びる柱状の一対の支持体１，１と、一対の支持体１，１の間に水平となるように支持された複数の棒体２，２，２・・と、支持体１に形成された複数の貫通孔３，３，３・・・と備える。さらに、壁収納体は、貫通孔３に嵌合して突出部を形成する突出部材４を備える。
【００１９】
支持体１は、全長約１８０ｃｍの木製（例えば、檜）の厚板（厚さ約３ｃｍ）からなり、その板面において長手方向に等間隔（約３０ｃｍ間隔）で、棒体２を固定するためのネジ孔１１が設けられている。
【００２０】
また、一対の支持体１，１は、図２に示すように、一端側（上側）が壁面Ｘに寄りかかるようにして、床面Ｙ上に斜設される。そのため、一対の支持体１，１は、その壁面に対する傾斜角度が所定角度α（例えば８度）となるように、一端側（上側）の端部が所定角度αの上部当接面１２となっている。これに対応して、一対の支持体１，１の他端側（下側）の端部が所定角度αの下部当接面１３となっている。
【００２１】
棒体２は、支持体１と同質の木製（例えば、檜）の丸棒（直径約３ｃｍ）であって、一対の支持体１，１の対向するネジ孔１１，１１の間で、該ネジ孔１１に挿入されたネジ２１により両端部が固定される。
【００２２】
貫通孔３は、支持体１の隣接するネジ孔１１の間に、等間隔（約１０ｃｍ間隔）で形成された直径約３ｃｍの貫通孔であり、その向きは棒体２と平行になっている。そして、この貫通孔３には、直径が貫通孔３と同じ棒状の突出部材４が嵌合可能となっている。
【００２３】
突出部材４としては、支持体１と同質の木製（例えば、檜）の丸棒であって、長さの異なる複数種類の部材が使用可能となっている。
【００２４】
次に、以上のように構成された壁収納部材の使用方法について説明する。
【００２５】
まず、図１に示すように、本実施形態の壁収納体は、支持体１，１の上部当接面１２が壁面Ｘに当接し、下部当接面１３が床面Ｙに当接するように、壁面Ｘに斜設されて用いられる。
【００２６】
このとき、棒体２には、直接、ネクタイ、ズボンやマフラーＺ１等をそのまま掛けて収納することができる。さらに、棒体２は、一定の間隔を隔てて、複数（本実施形態では、６本）設けられているため、収納する物品の種別や使用頻度等に応じて、それぞれの棒体２に分けて収納することができる。
【００２７】
これにより、ズボンやマフラーＺ１等を畳んで積み重ねる必要がなく、簡易に収納できるばかりでなく、積み重ねた場合には下側のものが取り出し難いが、棒体２毎に掛けられたズボンやマフラーＺ１等は、いずれも簡単に取り出すことができる。
【００２８】
また、ハンガーに掛けた衣類Ｚ２は、そのハンガーのフック部分を棒体２に係合させることで、簡単に収納することができる。さらに、その収納方向が衣類の前後方向が正面となるため、使用者は、収納されている衣類の種類やデザインを一見して認識することができる。
【００２９】
さらに、棒体２に、直接、収納する物品を掛けて収納することのほか、Ｓ字フックＷ等を介して物品を掛けられるようにしてもよい。Ｓ字フックＷの場合には、上側の湾曲部分を棒体２に係合させ、下側の湾曲部分に帽子Ｚ３等を掛けて収納するようにしてもよい。
【００３０】
さらに、Ｓ字フックＷは、その上側の湾曲部分を支持体１の貫通孔３に係合させることで、支持体１の側部にもハンドバックや鞄Ｚ４等を掛けて収納することができる。
【００３１】
貫通孔３には、Ｓ字フックＷのほか、突出部材４の一端を嵌合させて用いてもよい。この場合、突出部材４は、貫通孔３に着脱自在となっているため、突出部材４に収納するものに応じた長さの部材を選択することにより、収納する物品に対して適切な収納が可能となる。
【００３２】
例えば、長さの短い突出部材４には、ドライヤーのコード部分や延長コードＺ５等を掛けて収納することができる。一方、長さの長い突出部材４には、ネクタイを掛けて収納することができ、Ｓ字フックＷに複数のネクタイを掛けた場合に生じる皺を防止することができる。
【００３３】
なお、貫通孔３は、Ｓ字フックＷおよび突出部材４を介して物品を収納する場合のほか、イヤホン等のケーブルを直接貫通孔に通して収納するようにしてもよい。
【００３４】
このように、本実施形態の壁収納体によれば、衣類をはじめとする生活に必要な複数の物品を同時かつ大量に収納することができる。そして、収納により壁収納体の総荷重が大きくなった場合でも、支持体１は、壁面Ｘおよび床面Ｙに、それぞれ上部当接面１２および下部当接面１３で面接触しているため、安定して設置することができると共に、壁面Ｘおよび床面Ｙにへこみ等が生じることを防止することができる。
【００３５】
なお、本実施形態の壁収納体は、上述のように単体で使用してもよいが、図３に示すように、複数の壁収納体を突出部材４´を介して連結して用いてもよい。
【００３６】
すなわち、突出部材４´の一端側を一方の壁収納体の貫通孔３に嵌合させると共に、他端側を他方の壁収納体の貫通孔３に嵌合させることにより、２つの壁収納体を水平方向に連結することが可能となる。
【００３７】
このとき、ある程度長い突出部材４´を用いて壁収納体同士を連結することで、突出部材４´の部分に複数物品を様々に収納することができる。また、突出部材４´は、その両端が支持体１，１により支持されるため、その耐荷重を高めることができる。さらに、複数の突出部材４´で壁収納体同士を連結することで、収納量を増大させることができるばかりでなく、単体の壁収納体を壁面に傾設して用いる場合よりも安定性を向上させることができる。
【００３８】
さらに、このような使用方法により、突出部材４´を介して隣接する壁収納体同士を互いに連結して、壁面全体を複数の壁収納体により覆うことができ、衣類をはじめとする生活に必要な複数の物品を同時かつ大量に収納することが可能となる。
【００３９】
以上、詳しく説明したように本実施形態の壁収納体によれば、収納スペースが限られた居住空間において、衣類をはじめとする生活に必要な複数の物品を壁面に同時かつ大量に収納することができる。
【００４０】
なお、上記実施形態では、一対の支持体１，１が一定の間隔（約６０ｃｍ）を存して平行に配置される場合について説明したが、これに限定されるものではない。例えば、一定の間隔は、これ以外の３０ｃｍ，９０ｃｍであってもよい。
【００４１】
また、図４に示すように、一対の支持体１，１の間隔が上側から下側に向かって拡がっていてもよい。これにより、使い勝手のよい下側に収納幅の大きな棒体２を配置することができ、使用者の使い勝手を向上させることができる。
【００４２】
さらに、上記実施形態では、壁面Ｘに並んだ２つの壁収納体を突出部材４´により連結する場合について説明したが、これに限定されるものではなく、図５に示すように、一方の壁収納体と他方の壁収納体との傾斜角度が異なるように連結してもよい。
【００４３】
具体的には、壁面Ｘに対して、一方（図中左側）の壁収納体の傾斜角度αよりも、他方（図中右側）の壁収納体の傾斜角度β（α＜β）が大きくなるようにしてもよい。この場合、傾斜角度がβとなるように、支持体１の一端側（上側）の端部には、上部当接面１２とは異なる所定角度βの上部当接面１４が形成され、他端側（下側）の端部には、下部当接面１３とは異なる所定角度βの下部当接面１５が形成されている。
【００４４】
これにより、傾斜角度の大きな壁収納体の棒体２に、例えば洗濯バサミが複数も設けられた洗濯ハンガーＺ６を、洗濯物が壁収納体と接することなく吊り下げることができる。
【００４５】
また、上記実施形態では、貫通孔３は、棒体２と平行になるように支持体１に対して一方向にのみ形成されているが、これに限らず、これ以外の方向に貫通孔３を形成してもよい。例えば、支持体１を四角正方角柱として、その４つの側面の一部または全部に貫通孔や突出部材４を設けてもよい。これにより、突出部材４を多面的に設けることができ、生活に必要な多様な物品に対して、その収納性を向上させることができる。
【００４６】
さらに、上記実施形態では、Ｓ字フックＷを係合させるために貫通孔３としたが、主として、突出部材４を嵌合させて用いる場合には、突出部材４が嵌合する穴部としてもよい。
【００４７】
また、上記実施形態では、棒体２を固定するためのネジ孔１１と、貫通孔３とは異なる構成としたが、これを同じ形状として、棒体２の取り付け位置を上下方向で可変できるようにしてもよい。
【符号の説明】
【００４８】
１…支持体、２…棒体、３…貫通孔、４，４´…突出部材、Ｘ…壁面、Ｙ…床面、Ｚ１〜Ｚ６…収納物品、Ｗ…Ｓ字フック。
【要約】
【課題】衣類をはじめとする生活に必要な複数の物品を同時に収納することができる壁収納体を提供する。
【解決手段】壁面Ｘに斜設され、互いに間隔を存して垂直方向に伸びる柱状の一対の支持体１，１と、この間に水平となるように支持された複数の棒体２，２・・と、支持体１に形成された複数の貫通孔３とを備える。貫通孔３には、突出部材４が嵌合して突出した突出部が形成される。さらに、突出部材４´の一端側を一方の壁収納体の貫通孔３に嵌合させると共に、他端側を他方の壁収納体の貫通孔３に嵌合させることにより、２つの壁収納体が水平方向に連結される。
【選択図】図３【図１】
0004659918.tif 000002
【図２】
0004659918.tif 000003
【図３】
0004659918.tif 000004
【図４】
0004659918.tif 000005
【図５】
0004659918.tif 000006